(57)【要約】【課題】  ＦＰＣが光学ピックアップの送り動作に追従しながら、その折返し位置を変位させるとき、ＦＰＣがトップカバーの開口部から外方にはみ出すことを防止する。【解決手段】  ＦＰＣ４４が光学ピックアップ２１の送り動作に追従しながら、その折返し位置Ｓ１を変位させるとき、ＦＰＣ４４の長手方向に沿った側端部Ｓ４，Ｓ５のうち、少なくとも折返し位置Ｓ１においてトップカバー１０側への盛り上がりが大きくなる方を押さえ込む構造とする。【選択図】  図１２
2005346871.tif 000002
【特許請求の範囲】
【請求項１】
筐体と、
上記筐体に収容されるディスクドライブユニットと、
上記ディスクドライブユニットの駆動を制御する駆動制御回路が設けられた回路基板とを備え、
上記ディスクドライブユニットは、光学ディスクが装着されるターンテーブルと、このターンテーブルに装着された光学ディスクを回転駆動するスピンドルモータとを有するディスク回転駆動機構と、
上記ディスク回転駆動機構により回転駆動される上記光学ディスクの信号記録面に対物レンズにより集光された光ビームを照射しながら、上記光学ディスクに対して信号の書き込み及び／又は読み出しを行う光学ピックアップと、
上記光学ピックアップを上記光学ディスクの半径方向にスライド可能に支持するガイド軸を有し、上記光学ピックアップを光学ディスクの半径方向に送り動作させるピックアップ送り機構と、
上記スピンドルモータ及び上記ガイド軸の両端部が一方の面に取り付けられると共に、上記ターンテーブル及び上記光学ピックアップを他方の面から外方に臨ませる開口部が形成されたベースと、
上記光学ピックアップに一端部が接続されて、上記光学ピックアップの底面部側に折り返された他端部が上記回路基板に接続されると共に、上記光学ピックアップの送り動作に追従しながら、その折返し位置を変位させるフレキシブルプリント配線板と、
上記ベースの開口部から外方に臨む上記フレキシブルプリント配線板を押さえ込むように上記ベースの他方の面に取り付けられると共に、上記光学ディスクの半径方向に送り動作される上記光学ピックアップの対物レンズを外方に臨ませる開口部が形成されたトップカバーとを備え、
上記フレキシブルプリント配線板が上記光学ピックアップの送り動作に追従しながら、その折返し位置を変位させるとき、上記フレキシブルプリント配線板の長手方向に沿った側端部のうち、少なくとも折返し位置において上記トップカバー側への盛り上がりが大きくなる方を押さえ込む構造とされていることを特徴とするディスクドライブ装置。
【請求項２】
上記フレキシブルプリント配線板の長手方向に沿った側端部のうち、少なくとも折返し位置において上記トップカバー側への盛り上がりが大きくなる方を上記トップカバーが押さえ込むことを特徴とする請求項１記載のディスクドライブ装置。
【請求項３】
上記フレキシブルプリント配線板が上記光学ピックアップの送り動作に追従しながら、その折返し位置を変位させるとき、上記フレキシブルプリント配線板の折返し位置を挟んで上記光学ピックアップに接続される側の配線部に対して上記回路基板に接続される側の配線部が上記ベースの面内方向に広がり角をもって上記光学ピックアップの底面部側に折り返された状態となると共に、上記光学ピックアップに接続される側の配線部が上記回路基板に接続される側の配線部よりも上記トップカバーの開口部に臨む側に位置することによって、上記フレキシブルプリント配線板の長手方向に沿った側端部のうち、少なくとも折返し位置において上記トップカバーの開口部に臨む側の側端部とは反対側の側端部を上記トップカバーが押さえ込むことを特徴とする請求項２記載のディスクドライブ装置。
【請求項４】
上記フレキシブルプリント配線板は、上記光学ピックアップの送り方向に対して斜めに配置されていることを特徴とする請求項３記載のディスクドライブ装置。
【請求項５】
上記フレキシブルプリント配線板は、上記トップカバーの開口部に臨む側の側端部とは反対側の側端部を上記トップカバー側に傾けた状態で、その一端部が上記光学ピックアップに接続されていることを特徴とする請求項２記載のディスクドライブ装置。
【請求項６】
上記フレキシブルプリント配線板には、その長手方向に沿った側端部のうち、少なくも折返し位置において上記トップカバー側への盛り上がりが大きくなる方を押さえ込む補強材が設けられていることを特徴とする請求項１記載のディスクドライブ装置。
【請求項７】
上記筐体の前面に設けられたトレイ出入口から水平方向に出し入れされると共に、一方の面に上記ディスクドライブユニット及び上記回路基板が取り付けられ、他方の面に上記光学ディスクに対応した形状のディスク保持凹部と、このディスク保持凹部の底面部から上記ディスクドライブユニットを外方に臨ませる開口部とが形成されたディスクトレイと、
上記ディスクトレイの一方の面に取り付けられたボトムカバーとを備え、
上記フレキシブルプリント配線板は、上記トップカバーと上記ボトムカバーとの間に挟み込まれた状態で、上記光学ピックアップと上記回路基板との間で引き回されていることを特徴とする請求項１記載のディスクドライブ装置。
【請求項８】
光学ディスクが装着されるターンテーブルと、このターンテーブルに装着された光学ディスクを回転駆動するスピンドルモータとを有するディスク回転駆動機構と、
上記ディスク回転駆動機構により回転駆動される上記光学ディスクの信号記録面に対物レンズにより集光された光ビームを照射しながら、上記光学ディスクに対して信号の書き込み及び／又は読み出しを行う光学ピックアップと、
上記光学ピックアップを上記光学ディスクの半径方向にスライド可能に支持するガイド軸を有し、上記光学ピックアップを光学ディスクの半径方向に送り動作させるピックアップ送り機構と、
上記スピンドルモータ及び上記ガイド軸の両端部が一方の面に取り付けられると共に、上記ターンテーブル及び上記光学ピックアップを他方の面から外方に臨ませる開口部が形成されたベースと、
上記光学ピックアップに一端部が接続されて、回路基板に接続される他端部が上記光学ピックアップの底面部側に折り返されると共に、上記光学ピックアップの送り動作に追従しながら、その折返し位置を変位させるフレキシブルプリント配線板と、
上記ベースの開口部から外方に臨む上記フレキシブルプリント配線板を押さえ込むように上記ベースの他方の面に取り付けられると共に、上記光学ディスクの半径方向に送り動作される上記光学ピックアップの対物レンズを外方に臨ませる開口部が形成されたトップカバーとを備え、
上記フレキシブルプリント配線板が上記光学ピックアップの送り動作に追従しながら、その折返し位置を変位させるとき、上記フレキシブルプリント配線板の長手方向に沿った側端部のうち、少なくとも折返し位置において上記トップカバー側への盛り上がりが大きくなる方を押さえ込む構造とされていることを特徴とするディスクドライブユニット。
【請求項９】
上記フレキシブルプリント配線板の長手方向に沿った側端部のうち、少なくとも折返し位置において上記トップカバー側への盛り上がりが大きくなる方を上記トップカバーが押さえ込むことを特徴とする請求項８記載のディスクドライブユニット。
【請求項１０】
上記フレキシブルプリント配線板が上記光学ピックアップの送り動作に追従しながら、その折返し位置を変位させるとき、上記フレキシブルプリント配線板の折返し位置を挟んで上記光学ピックアップに接続される側の配線部に対して上記回路基板に接続される側の配線部が上記ベースの面内方向に広がり角をもって上記光学ピックアップの底面部側に折り返された状態となると共に、上記光学ピックアップに接続される側の配線部が上記回路基板に接続される側の配線部よりも上記トップカバーの開口部に臨む側に位置することによって、上記フレキシブルプリント配線板の長手方向に沿った側端部のうち、少なくとも折返し位置において上記トップカバーの開口部に臨む側の側端部とは反対側の側端部を上記トップカバーが押さえ込むことを特徴とする請求項９記載のディスクドライブユニット。
【請求項１１】
上記フレキシブルプリント配線板は、上記光学ピックアップの送り方向に対して斜めに配置されていることを特徴とする請求項１０記載のディスクドライブユニット。
【請求項１２】
上記フレキシブルプリント配線板は、上記トップカバーの開口部に臨む側の側端部とは反対側の側端部を上記トップカバー側に傾けた状態で、その一端部が上記光学ピックアップに接続されていることを特徴とする請求項９記載のディスクドライブユニット。
【請求項１３】
上記フレキシブルプリント配線板には、その長手方向に沿った側端部のうち、少なくも折返し位置において上記トップカバー側への盛り上がりが大きくなる方を押さえ込む補強材が設けられていることを特徴とする請求項８記載のディスクドライブユニット。
【請求項１４】
光学ディスクの半径方向に送り動作されると共に、回転する光学ディスクの信号記録面に対物レンズにより集光された光ビームを照射しながら、光学ディスクに対して信号の書き込み及び／又は読み出しを行う光学ピックアップと、
上記光学ピックアップに一端部が接続されて、回路基板に接続される他端部が上記光学ピックアップの底面部側に折り返されると共に、上記光学ピックアップの送り動作に追従しながら、その折返し位置を変位させるフレキシブルプリント配線板とを備え、
上記光学ディスクが装着されるターンテーブルと、このターンテーブルに装着された光学ディスクを回転駆動するスピンドルモータとを有するディスク回転駆動機構と、上記光学ピックアップを上記光学ディスクの半径方向にスライド可能に支持するガイド軸を有し、上記光学ピックアップを光学ディスクの半径方向に送り動作させるピックアップ送り機構と、上記スピンドルモータ及び上記ガイド軸の両端部が一方の面に取り付けられると共に、上記ターンテーブル及び上記光学ピックアップを他方の面から外方に臨ませる開口部が形成されたベースと、上記ベースの開口部から外方に臨む上記フレキシブルプリント配線板を押さえ込むように上記ベースの他方の面に取り付けられると共に、上記光学ディスクの半径方向に送り動作される上記光学ピックアップの対物レンズを外方に臨ませる開口部が形成されたトップカバーとを備えるディスクドライブユニットに搭載されて、上記フレキシブルプリント配線板が上記光学ピックアップの送り動作に追従しながら、その折返し位置を変位させるとき、上記フレキシブルプリント配線板の長手方向に沿った側端部のうち、少なくとも折返し位置において上記トップカバー側への盛り上がりが大きくなる方が押さえ込まれる構造とされていることを特徴とする光学ピックアップ装置。
【請求項１５】
上記フレキシブルプリント配線板の長手方向に沿った側端部のうち、少なくとも折返し位置において上記トップカバー側への盛り上がりが大きくなる方が上記トップカバーにより押さえ込まれることを特徴とする請求項１４記載の光学ピックアップ装置。
【請求項１６】
上記フレキシブルプリント配線板が上記光学ピックアップの送り動作に追従しながら、その折返し位置を変位させるとき、上記フレキシブルプリント配線板の折返し位置を挟んで上記光学ピックアップに接続される側の配線部に対して上記回路基板に接続される側の配線部が上記ベースの面内方向に広がり角をもって上記光学ピックアップの底面部側に折り返された状態となると共に、上記光学ピックアップに接続される側の配線部が上記回路基板に接続される側の配線部よりも上記トップカバーの開口部に臨む側に位置することによって、上記フレキシブルプリント配線板の長手方向に沿った側端部のうち、少なくとも折返し位置において上記トップカバーの開口部に臨む側の側端部とは反対側の側端部が上記トップカバーにより押さえ込まれることを特徴とする請求項１５記載の光学ピックアップ装置。
【請求項１７】
上記フレキシブルプリント配線板は、上記光学ピックアップの送り方向に対して斜めに配置されていることを特徴とする請求項１６記載の光学ピックアップ装置。
【請求項１８】
上記フレキシブルプリント配線板は、上記トップカバーの開口部に臨む側の側端部とは反対側の側端部を上記トップカバー側に傾けた状態で、その一端部が上記光学ピックアップに接続されていることを特徴とする請求項１５記載の光学ピックアップ装置。
【請求項１９】
上記フレキシブルプリント配線板には、その長手方向に沿った側端部のうち、少なくも折返し位置において上記トップカバー側への盛り上がりが大きくなる方を押さえ込む補強材が設けられていることを特徴とする請求項１４記載の光学ピックアップ装置。
【発明の詳細な説明】
【技術分野】
【０００１】
本発明は、光ディスクや光磁気ディスク等の光学ディスクに対して情報信号の記録及び／又は再生を行うディスクドライブ装置、そのようなディスクドライブ装置に搭載されるディスクドライブユニット、並びにそのようなディスクドライブユニットに搭載される光学ピックアップ装置に関する。
【背景技術】
【０００２】
従来よりＣＤ(Compact Disc)やＤＶＤ(Digital Versatile Disc)といった光学ディスクが広く知られており、これら光学ディスクに対応した各種のディスクドライブ装置が登場している。
【０００３】
例えば図２２に示すノート型パーソナルコンピュータ等のホスト機器に搭載される薄型のディスクドライブ装置２００は、筐体２０１から水平方向に出し入れされるディスクトレイ２０２にディスクドライブユニット２０３が搭載された構造を有している。なお、図２２では、便宜上、筐体２０１の天板を取り外した状態を示している。
【０００４】
このディスクドライブユニット２０３は、図２３に示すように、光ディスクを回転駆動するディスク回転駆動機構２０４と、このディスク回転駆動機構２０４により回転駆動される光ディスクに対して信号の書き込み及び読み出し動作を行う光学ピックアップ２０５と、この光学ピックアップ２０５を光ディスクの半径方向に送り動作するピックアップ送り機構２０６と、光学ピックアップ２０５に一端部が接続されて他端部がピックアップ２０５の底面部側に折り返されたフレキシブルプリント配線板（以下、ＦＰＣという。）２０７と、このＦＰＣ２０７の他端部が接続された回路基板２０８とを備え、これらがベース２０９に一体に取り付けられた超薄型構造を有している。
【０００５】
ディスク回転駆動機構２０４は、光ディスクが装着されるターンテーブル２１０が上面部に設けられた扁平状のスピンドルモータ２１１を有し、このスピンドルモータ２１１が回路基板２０８に支持されると共に、このスピンドルモータ２１１がターンテーブル２１０に装着された光ディスクを回転駆動する。
【０００６】
光学ピックアップ２０５は、半導体レーザから出射された光ビームを対物レンズ２０５ａで集光させながら光ディスクの信号記録面に照射し、この光ディスクの信号記録面で反射された戻りの光ビームを光検出器（図示せず。）で検出することによって、光ディスクに対する信号の書き込み及び読み出し動作を行う。
【０００７】
ピックアップ送り機構２０６は、光学ピックアップ２０５を光ディスクの半径方向に移動可能に支持する一対のガイド軸２１２ａ，２１２ｂと、光学ピックアップ２０５に取り付けられたラック部材２１３と、このラック部材２１３と噛合されるリードスクリュー２１４と、このリードスクリュー２１４を回転駆動するステッピングモータ２１５とを有し、このステッピングモータ２１５がリードスクリュー２１４を回転駆動しながら、リードスクリュー２１４とラック部材２１３との噛合により光学ピックアップ２０５を光ディスクの内外周に亘って移動させる。
【０００８】
ＦＰＣ２０７は、その折返し位置２０７ａを挟んで光学ピックアップ２０５に接続される側の配線部２０７ｂと回路基板２０８に接続される側の配線部２０７ｃとが光学ピックアップ２０５の送り方向に対して互いに平行となるように、光学ピックアップ２０５と回路基板２０８との間で引き回されている。したがって、このＦＰＣ２０７は、光学ピックアップ２０５を光ディスクの半径方向に送り動作した際に、その折返し位置２０７ａを挟んで光学ピックアップ２０５に接続される側の配線部２０７ｂと回路基板２０８に接続される側の配線部２０７ｃとが光学ピックアップ２０５の送り方向に対して互いに平行の状態のまま、その折返し位置２０７ａを変位させることになる。
【０００９】
回路基板２０８は、いわゆるリジット基板であり、上述したＦＰＣ２０７の他端部が接続されるコネクタ２１６や、筐体２０１やディスクトレイ２０２に配置された他の回路基板との電気的な接続を図るためのコネクタ２１７、このディスクドライブユニット２０３の各部の駆動を制御する駆動制御回路（図示せず。）等を搭載している。
【００１０】
ベース２０９は、所定の形状に打ち抜かれた板金からなり、その主面には、ターンテーブル２１０を外方に臨ませるテーブル用開口部２１８ａと光学ピックアップ２０５を外方に臨ませるピックアップ用開口部２１８ｂとが連続して形成されている。そして、これら開口部２１８ａ，２１８ｂからターンテーブル２１０及び光学ピックアップ２０５を外方に臨ませる側の主面とは反対側の主面には、上述した回路基板２０８、一対のガイド軸２１２ａ，２１２ｂの両端部、リードスクリュー２１４、ステッピングモータ２１５等が取り付けられている。
【００１１】
以上のように構成されるディスクドライブユニット２０３は、上述した図２２に示すディスクトレイ２０２の下面に取り付けられている。このディスクトレイ２０２の上面には、光ディスクに対応した形状のディスク保持凹部２１９と、このディスク保持凹部２１９の底面部からディスクドライブユニット２０３を外方に臨ませる開口部２２０とが形成されている。また、このディスクトレイ２０２の開口部２２０から外方に臨むベース２０９の上面部には、上述したピックアップ用開口部２１８ｂから外方に臨むＦＰＣ２０７を押さえ込むトップカバー２２１が取り付けられている。このトップカバー２２１には、光ディスクの半径方向に送り動作される光学ピックアップ２０５の移動可能な範囲に対応して、対物レンズ２０５ａを外方に臨ませる略矩形状の開口部２２２が形成されている。一方、このディスクトレイ２０２の下面には、上述したドライブユニット２０３の底面部側を覆うボトムカバー２２３が取り付けられている。
【００１２】
以上のようなディスクドライブユニット２０３が搭載されたディスクドライブ装置２００では、光ディスクＤを保持するディスクトレイ２０２が筐体２０１に収容された状態において、光ディスクＤに対する情報信号の記録又は再生が行われる。具体的に、ディスクドライブユニット２０３では、ディスク回転駆動機構２０４が光ディスクＤを回転駆動し、ピックアップ送り機構２０６が光学ピックアップ２０５を光ディスクＤの半径方向に送り動作しながら、光学ピックアップ２０５が光ディスクＤに対して信号の書き込み又は読み出し動作を行う。
【００１３】
ところで、このような薄型のディスクドライブ装置２００では、図２４に示すように、装置全体の薄型化によって、上述したトップカバー２２１とボトムカバー２２３との間の間隔が非常に狭くなるために、このトップカバー２２１とボトムカバー２２３との間に挟み込まれたＦＰＣ２０７の折返し位置２０７ａを挟んで対向する配線部２０７ｂと配線部２０７ｃとの折り返し幅も狭くなる。
【００１４】
この場合、ＦＰＣ２０７の折返し位置２０７ａでは、図２２及び図２４に示すようなトップカバー２２１側への盛り上がり２０７ｄが発生する。このＦＰＣ２０７に発生するトップカバー２２１側への盛り上がり２０７ｄは、上述したＦＰＣ２０７の折返し幅が小さくなるほど、より大きなものとなり、トップカバー２２１の開口部２２２から外方にはみ出すことになる。
【００１５】
このため、従来のディスクドライブ装置２００では、光学ピックアップ２０５を光ディスクＤの半径方向に送り動作した際に、トップカバー２２１の開口部２２２から外方にはみ出したＦＰＣ２０７が光ディスクＤの信号記録面と接触して、この光ディスクＤの信号記録面を傷付けてしまう虞が生じていた。
【００１６】
特に、最近のディスクドライブ装置２００では、上述したＣＤやＤＶＤといった異なるディスクの記録フォーマットに対して互換性を持たせた光学ピックアップ２０５が搭載されている。さらに、ＢＤ(Blu-ray Disc)等といった高記録密度化に対応した記録フォーマットに対して互換性を持たせることも検討されている。ＦＰＣ２０７には、このような光学ピックアップ２０５を異なる記録フォーマットで駆動制御するための信号線が配線されている。このため、ディスクドライブ装置２００では、ＦＰＣ２０７の配線数が増加し、このＦＰＣ２０７が幅広となることによって、ＦＰＣ２０７のトップカバー２２１で覆うことのできない部分が、このトップカバー２２１の開口部２２２から外方にはみ出すといった問題が益々生じやすくなっている。
【発明の開示】
【発明が解決しようとする課題】
【００１７】
本発明は、以上のような問題点に鑑みて提案されたものであり、本発明の目的は、フレキシブルプリント配線板が光学ピックアップの送り動作に追従しながら、その折返し位置を変位させるとき、このフレキシブルプリント配線板のトップカバーで覆うことのできない部分がトップカバーの開口部から外方にはみ出すことを防止することにある。
【課題を解決するための手段】
【００１８】
この目的を達成するために、本発明に係るディスクドライブ装置は、筐体と、筐体に収容されるディスクドライブユニットと、ディスクドライブユニットの駆動を制御する駆動制御回路が設けられた回路基板とを備える。また、ディスクドライブユニットは、光学ディスクが装着されるターンテーブルと、このターンテーブルに装着された光学ディスクを回転駆動するスピンドルモータとを有するディスク回転駆動機構と、ディスク回転駆動機構により回転駆動される光学ディスクの信号記録面に対物レンズにより集光された光ビームを照射しながら、光学ディスクに対して信号の書き込み及び／又は読み出しを行う光学ピックアップと、光学ピックアップを光学ディスクの半径方向にスライド可能に支持するガイド軸を有し、光学ピックアップを光学ディスクの半径方向に送り動作させるピックアップ送り機構と、スピンドルモータ及びガイド軸の両端部が一方の面に取り付けられると共に、ターンテーブル及び光学ピックアップを他方の面から外方に臨ませる開口部が形成されたベースと、光学ピックアップに一端部が接続されて、光学ピックアップの底面部側に折り返された他端部が回路基板に接続されると共に、光学ピックアップの送り動作に追従しながら、その折返し位置を変位させるフレキシブルプリント配線板と、ベースの開口部から外方に臨むフレキシブルプリント配線板を押さえ込むようにベースの他方の面に取り付けられると共に、光学ディスクの半径方向に送り動作される光学ピックアップの対物レンズを外方に臨ませる開口部が形成されたトップカバーとを備える。そして、フレキシブルプリント配線板が光学ピックアップの送り動作に追従しながら、その折返し位置を変位させるとき、フレキシブルプリント配線板の長手方向に沿った側端部のうち、少なくとも折返し位置においてトップカバー側への盛り上がりが大きくなる方を押さえ込む構造とされていることを特徴としている。
【００１９】
また、本発明に係るディスクドライブユニットは、光学ディスクが装着されるターンテーブルと、このターンテーブルに装着された光学ディスクを回転駆動するスピンドルモータとを有するディスク回転駆動機構と、ディスク回転駆動機構により回転駆動される上記光学ディスクの信号記録面に対物レンズにより集光された光ビームを照射しながら、光学ディスクに対して信号の書き込み及び／又は読み出しを行う光学ピックアップと、光学ピックアップを光学ディスクの半径方向にスライド可能に支持するガイド軸を有し、光学ピックアップを光学ディスクの半径方向に送り動作させるピックアップ送り機構と、スピンドルモータ及びガイド軸の両端部が一方の面に取り付けられると共に、ターンテーブル及び光学ピックアップを他方の面から外方に臨ませる開口部が形成されたベースと、光学ピックアップに一端部が接続されて、回路基板に接続される他端部が光学ピックアップの底面部側に折り返されると共に、光学ピックアップの送り動作に追従しながら、その折返し位置を変位させるフレキシブルプリント配線板と、ベースの開口部から外方に臨むフレキシブルプリント配線板を押さえ込むようにベースの他方の面に取り付けられると共に、光学ディスクの半径方向に送り動作される光学ピックアップの対物レンズを外方に臨ませる開口部が形成されたトップカバーとを備える。そして、フレキシブルプリント配線板が光学ピックアップの送り動作に追従しながら、その折返し位置を変位させるとき、フレキシブルプリント配線板の長手方向に沿った側端部のうち、少なくとも折返し位置においてトップカバー側への盛り上がりが大きくなる方を押さえ込む構造とされていることを特徴としている。
【００２０】
また、本発明に係る光学ピックアップ装置は、光学ディスクの半径方向に送り動作されると共に、回転する光学ディスクの信号記録面に対物レンズにより集光された光ビームを照射しながら、光学ディスクに対して信号の書き込み及び／又は読み出しを行う光学ピックアップと、上記光学ピックアップに一端部が接続されて、回路基板に接続される他端部が上記光学ピックアップの底面部側に折り返されると共に、上記光学ピックアップの送り動作に追従しながら、その折返し位置を変位させるフレキシブルプリント配線板とを備える。そして、光学ディスクが装着されるターンテーブルと、このターンテーブルに装着された光学ディスクを回転駆動するスピンドルモータとを有するディスク回転駆動機構と、光学ピックアップを光学ディスクの半径方向にスライド可能に支持するガイド軸を有し、光学ピックアップを光学ディスクの半径方向に送り動作させるピックアップ送り機構と、スピンドルモータ及びガイド軸の両端部が一方の面に取り付けられると共に、ターンテーブル及び光学ピックアップを他方の面から外方に臨ませる開口部が形成されたベースと、ベースの開口部から外方に臨むフレキシブルプリント配線板を押さえ込むようにベースの他方の面に取り付けられると共に、光学ディスクの半径方向に送り動作される光学ピックアップの対物レンズを外方に臨ませる開口部が形成されたトップカバーとを備えるディスクドライブユニットに搭載されて、フレキシブルプリント配線板が光学ピックアップの送り動作に追従しながら、その折返し位置を変位させるとき、フレキシブルプリント配線板の長手方向に沿った側端部のうち、少なくとも折返し位置においてトップカバー側への盛り上がりが大きくなる方が押さえ込まれる構造とされていることを特徴としている。
【発明の効果】
【００２１】
以上のように、本発明では、フレキシブルプリント配線板が光学ピックアップの送り動作に追従しながら、その折返し位置を変位させるとき、フレキシブルプリント配線板の長手方向に沿った側端部のうち、少なくとも折返し位置においてトップカバー側への盛り上がりが大きくなる方を押さえ込む構造とされていることから、逆に、折返し位置においてトップカバー側への盛り上がりが小さくなる方をトップカバーの開口部に臨ませることによって、このフレキシブルプリント配線板のトップカバーで覆うことのできない部分がトップカバーの開口部から外方にはみ出すことを防ぐことができる。
【００２２】
したがって、本発明によれば、フレキシブルプリント配線板が幅広となる場合であっても、このフレキシブルプリント配線板のトップカバーで覆うことのできない部分がトップカバーの開口部から外方にはみ出すことを防ぐことが可能であり、光学ピックアップを光学ディスクの半径方向に送り動作した際のフレキシブルプリント配線板と光学ディスクの信号記録面との接触を回避し、光学ピックアップの光学ディスクに対する信号の書き込み及び／又は読み出し動作を適切に行うことが可能である。また、本発明によれば、装置全体の更なる薄型化や、フレキシブルプリント配線板の更なる幅広化に対応することが可能である。
【発明を実施するための最良の形態】
【００２３】
以下、本発明を適用したディスクドライブ装置、ディスクドライブユニット、光学ピックアップ装置について、図面を参照しながら詳細に説明する。
【００２４】
本発明を適用したディスクドライブ装置は、例えば図１に示すノート型パーソナルコンピュータ１００の機器本体１０１に搭載されたトレイ型のディスクドライブ装置１である。このディスクドライブ装置１は、図２に示すように、例えば１２．７ｍｍ程度にまで装置全体が薄型化された構造を有しており、ＣＤ(Compact Disc)やＤＶＤ(Digital Versatile Disc)といった光ディスク２に対して情報信号の記録・再生を行うことが可能となっている。
【００２５】
具体的に、このディスクドライブ装置１は、図３及び図４に示すように、筐体３と、この筐体３の前面に設けられたトレイ出入口３ａから水平方向に出し入れされるディスクトレイ４と、このディスクトレイ４に取り付けられたディスクドライブユニット５とを備えている。
【００２６】
筐体３は、全体が略扁平箱状に形成された板金からなる下部筐体６に、その上部開口部を閉塞するように同じく板金からなる天板７がネジ止めによって取り付けられた構造を有している。そして、この筐体３の内部には、ディストレイ４を収納するための収納空間が形成されており、その前面が上記トレイ出入口３ａとして開放されている。
【００２７】
ディスクトレイ４は、全体が略矩形扁平状に形成された樹脂成形材料からなり、その上面には、光ディスク２に対応した形状のディスク保持凹部８が設けられている。また、このディスク保持凹部８の底面部には、ディスクトレイ４の下面に取り付けられたディスクドライブユニット５を外方に臨ませる開口部９が形成されている。また、このディスクトレイ４の開口部９ａから外方に臨むディスクドライブユニット５の上面には、後述するベース１６のピックアップ用開口部１９ｂから外方に臨むＦＰＣを押さえ込むトップカバー１０が取り付けられている。このトップカバー１０には、後述するベース１６のテーブル用開口部１９ａに対応した略半円状の開口部１０ａと、ピックアップ用開口部１９ｂのうち、光ディスク２の半径方向に送り動作される光学ピックアップ２１の移動可能な範囲に対応して、後述する対物レンズ２１ａ及び対物レンズ駆動機構２１ｂを外方に臨ませる略矩形状の開口部１０ｂとが連続して形成されている。一方、このディスクトレイの下面には、ディスクドライブユニット５の底面部側を覆うボトムカバー１１が取り付けられている。
【００２８】
このディスクトレイ４は、その両側面と下部筐体６の内側面との間に介在されるガイドレール機構１２によって、図２に示すトレイ出入口３ａから筐体３の内部へと引き込まれて収納される収納位置と、図３に示すトレイ出入口３ａから筐体３の外部へと引き出される引出位置との間でスライド可能に支持されている。
【００２９】
このディスクトレイ４の前面には、筐体３のトレイ出入口３ａを開閉する略矩形平板状の前面パネル１３が取り付けられている。また、この前面パネル１３の前面には、光ディスク２に対するアクセス状態を点灯表示する表示部１４と、ディスクトレイ４をイジェクトする際に押圧されるイジェクト釦１５とが設けられている。
【００３０】
なお、このディスクトレイ４は、筐体３に収納された際にロック機構（図示せず。）によって前面側へのスライドが係止される。そして、この状態からイジェクト釦１５が押圧されると、ロック機構による係止状態が解除されることによって、ディスクトレイ４がトレイ出入口３ａから前面側へと押し出される。これにより、ディスクトレイ４をトレイ出入口３ａから引出位置へと引き出すことが可能となっている。一方、ディスクトレイ４を筐体３の収納位置へと押し込むことによって、再びロック機構による前面側へのスライドが係止される。
【００３１】
ディスクドライブユニット５は、図５及び図６に示すように、板金を所定の形状に打ち抜き、その周囲を僅かに下方に折り曲げてなるベース１６を備え、この下方に折り曲げられたベース１６の端縁部からは、３つのインシュレータ取付片１７が外側に向かって折り曲げ形成されている。各インシュレータ取付片１７には、振動等を吸収するためのゴム等の弾性部材からなるインシュレータ１８が取り付けられている。ベース１６は、これらインシュレータ１８を介してディスクトレイ４の下面に設けられた支軸（図示せず。）に固定支持されている。また、ベース１６の主面には、後述するターンテーブル２２を上方へと臨ませる略半円状のテーブル用開口部１９ａと、後述する光ディスク２の半径方向に送り動作される光学ピックアップ２１の移動可能な範囲に対応して、この光学ピックアップ２１を上方へと臨ませる略矩形状のピックアップ用開口部１９ｂとが連続して形成されている。
【００３２】
そして、このディスクドライブユニット５は、光ディスク２を回転駆動するディスク回転駆動機構２０と、このディスク回転駆動機構２０により回転駆動される光ディスク２に対して信号の書き込み及び読み出しを行う光学ピックアップ２１と、この光学ピックアップ２１を光ディスク２の半径方向に送り動作させるピックアップ送り機構２２とを備え、これらがベース１６の一体に取り付けられた超薄型構造を有している。
【００３３】
ディスク回転駆動機構２０は、光ディスク２が装着されるターンテーブル２３が上面部に設けられた扁平状のスピンドルモータ２４を有し、このスピンドルモータ２４によりターンテーブル２３に装着された光ディスク２を回転駆動する。
【００３４】
ターンテーブル２３の中心部には、光ディスク２を取り外し可能に装着するためのチャッキング機構２５が設けられている。このチャッキング機構２５は、光ディスク２の中心孔２ａに係合される係合突部２５ａと、この係合突部２５ａに係合された光ディスク２の中心孔２ａの周囲を係止する複数の係止爪２５ｂとを有し、ターンテーブル２３ａに装着された光ディスク２のセンタリングを行いながら、この光ディスク２をターンテーブル２３上に保持する。
【００３５】
スピンドルモータ２４は、回路基板２６に支持されており、この回路基板２６は、ターンテーブル２３がテーブル用開口部１９ａを通してベース１６の上面よりも僅かに突出するように、スペーサ部材２７を介してベース１６の底面部に複数のネジ２８により取り付けられている。
【００３６】
光学ピックアップ２１は、光源となる半導体レーザ（図示せず。）から出射された光ビームを対物レンズ２１ａにより集光させて光ディスク２の信号記録面に照射し、この光ディスク２の信号記録面で反射された戻りの光ビームを光検出器（図示せず。）で検出することによって、光ディスク２に対する信号の書き込み及び読み出し動作を行う。
【００３７】
また、この光学ピックアップ２１は、対物レンズ２１ａを光軸方向（フォーカッシング方向という。）と、光ディスクの記録トラックと直交する方向（トラッキング方向という。）とに変位駆動する２軸アクチュエータ（図示せず。）等の対物レンズ駆動機構２１ｂを有している。そして、この光学ピックアップ２１では、上述した光検出器により検出された光ディスク２からの検出信号に基づいて、２軸アクチュエータにより対物レンズ２１ａをフォーカッシング方向及びトラッキング方向に変位させながら、光ディスク２の信号記録面上に対物レンズ２１ａの焦点を合わせるフォーカスサーボや、対物レンズ２１ａにより集光される光ビームのスポットを記録トラックに追従させるトラッキングサーボ等の駆動制御を行っている。なお、対物レンズ駆動機構２１ｂとしては、このようなフォーカシング制御及びトラッキング制御に加えて、対物レンズ２５ａにより集光された光ビームを光ディスク２の信号記録面に垂直に照射させるように、光ディスク２の信号記録面に対する対物レンズ２５ａの傾き（スキュー）を調整可能とする３軸アクチュエータを用いてもよい。
【００３８】
ピックアップ送り機構２２は、光学ピックアップ２１の各構成部品が搭載されたピックアップベース２９と、このピックアップベース２９を光ディスク２の半径方向にスライド可能に支持する一対のガイド軸３０ａ，３０ｂと、これら一対のガイド軸３０ａ，３０ｂに支持されたピックアップベース２９を光ディスク２の半径方向に変位駆動する変位駆動機構３１とを有している。
【００３９】
ピックアップベース２９は、ベース１６のピックアップ用開口部１９ｂから外方に臨む位置に配置されると共に、一対のガイド軸３０ａ，３０ｂにスライド可能に支持されている。具体的に、このピックアップベース２９には、一対のガイド軸３０ａ，３０ｂのうち、一方のガイド軸３０ａを挿通するガイド孔３２ａが形成された一対のガイド片３２と、他方のガイド軸３０ｂを挟み込むガイド溝３３ａが形成されたガイド片３３とが互いに対向する側面から逆向きに突出形成されている。これにより、ピックアップベース２９は、一対のガイド軸３０ａ，３０ｂにスライド可能に支持されて、ベース１６のピックアップ用開口部１９ｂ内を光ディスク２の半径方向に移動可能となっている。
【００４０】
一対のガイド軸３０ａ，３０ｂは、ベース１６の底面部に位置して、光ディスク２の半径方向と互いに平行となるように配置されており、ベース１６のピックアップ用開口部１９ｂに臨むピックアップベース２９を光ディスク２の内外周に亘って案内する。また、これら一対のガイド軸３０ａ，３０ｂの両端部は、それぞれベース１６の底面部にスキュー調整機構３４を介して取り付けられている。
【００４１】
このスキュー調整機構３４は、一対のガイド軸３０ａ，３０ｂの両端部をベース１６の主面と直交する方向に移動可能に支持しており、各ガイド軸３０ａ，３０ｂの端部が支持される位置を調整ネジ３４ａにより調節しながら、光学ピックアップ２１の対物レンズ２１ａにより集光される光ビームが光ディスク２の信号記録面に垂直に照射されるように、各ガイド軸３０ａ，３０ｂの傾きを調整可能としている。また、光学ピックアップ２１とターンテーブル２３に装着された光ディスク２の信号記録面との間の距離も調整可能としている。
【００４２】
変位駆動機構３１は、図７に示すように、ピックアップベース２９に取り付けられたラック部材３５と、このラック部材３５と噛合される送りネジ３６と、この送りネジ３６を回転駆動する駆動モータ３７とを有している。
【００４３】
ラック部材３５は、その基端側がピックアップベース２９の一対のガイド片３２の間に位置してネジ止めにより取り付けられ、その先端側に一方のガイド軸３０ａと平行に配置された送りネジ３６と噛合されるラック部３５ａが一体に形成されている。送りネジ３６は、駆動モータ３７の駆動軸と一体に形成されており、その外周面には、上記ラック部材３５のラック部３５ａが噛合される螺旋状のリードスクリュー３６ａが形成されている。駆動モータ３７は、いわゆるステッピングモータであり、駆動パルスに応じて送りネジ３６を回転駆動する。また、これら送りネジ３６及び駆動モータ３７は、ベース１６の底面部にネジ止めによって取り付けられたブラケット３８に支持されている。このブラケット３８は、長尺状の板金の両端部が同一方向に直角に折り曲げられた形状を有しており、その折り曲げられた一端側に送りネジ３６を貫通させた状態で駆動モータ３７が固定される一方、他端に設けられた軸孔に送りネジ３６の先端が軸支されることによって、送りネジ３６を回転可能に支持している。
【００４４】
そして、この変位駆動機構３１は、駆動モータ３７が送りネジ３６を回転駆動しながら、リードスクリュー３６ａとラック部３５ａとの噛合によりラック部材３５を送りネジ３６の軸線方向に変位させることによって、一対のガイド軸３０ａ，３０ｂに支持されたピックアップベース３０を光ディスク２の半径方向に変位駆動する。
【００４５】
また、このディスクドライブ装置１は、図８及び図９に示すように、ディスクトレイ４の下面に取り付けられるトレイ側の回路基板３９と、下部筐体６の底面部に取り付けられるドライブ本体側の回路基板４０とを備えている。
【００４６】
このうち、トレイ側の回路基板３９には、光学ピックアップ２１との電気的な接続を図るためのコネクタ４１や、ユニット側の回路基板２６との電気的な接続を図るためのコネクタ４２、ドライブ本体側の回路基板４０との電気的な接続を図るためのコネクタ４３が設けられている。また、この回路基板３９の両主面には、上述したスピンドルモータ２４や、駆動モータ３７、光学ピックアップ２１の各部の駆動制御を行う駆動制御回路（図示せず。）等が設けられている。
【００４７】
一方、ドライブ本体側の回路基板４０には、図示を省略するが、トレイ側の回路基板３９との電気的な接続を図るためのコネクタや、上記装置本体１０１との電気的な接続を図るコネクタが設けられている。また、この回路基板４０の両主面には、ドライブ本体の各部の駆動制御を行う駆動制御回路等が設けられている。
【００４８】
なお、上述したベース１６に取り付けられるユニット側の回路基板２６は、スピンドルモータ２４や駆動モータ３７、光学ピックアップ２１の各部の駆動制御を行う駆動制御回路等を、トレイ側の回路基板３９やドライブ本体側の回路基板４０に搭載することで、上述した図１６に示す従来の回路基板２０８よりも大幅な小型化が図られている。これにより、上述したディスクドライブユニット５の更なる小型化及び軽量化が可能となっている。
【００４９】
そして、これらトレイ側の回路基板３９と光学ピックアップ２１との間、トレイ側の回路基板３９とユニット側の回路基板２６との間、トレイ側の回路基板３９とドライブ本体側の回路基板４０との間には、各コネクタ間を電気的に接続するフレキシブルプリント配線板（以下、ＦＰＣという。）４４が引き回されている。なお、図８及び図９では、便宜上、トレイ側の回路基板３９と光学ピックアップ２１との間で引き回されたＦＰＣ４４のみを図示している。
【００５０】
以上のように構成されるディスクドライブ装置１では、光ディスク２を保持するディスクトレイ４が筐体３に収容された状態において、上記パーソナルコンピュータ１００から記録又は再生の指令が送られると、この指令に基づいて、光ディスク２に対する情報信号の記録又は再生が行われる。具体的には、ディスクドライブユニット５において、ディスク回転駆動機構１５が光ディスク２を回転駆動し、ピックアップ送り機構１８が光学ピックアップ２１を光ディスク２の半径方向に送り動作しながら、光学ピックアップ２１が光ディスク２に対して信号の書き込み又は読み出し動作を行う。
【００５１】
ところで、上述した光学ピックアップ２１とトレイ側の回路基板３９との間で引き回されるＦＰＣ４４は、例えば図１０に示すような形状を有している。
【００５２】
具体的に、このＦＰＣ４４の一端部４４ａは、光学ピックアップ２１の外周側の側面に接続されており、このＦＰＣ４４の一端部４４ａからは、第１の延長部４４ｂが光学ピックアップ２１の送り方向に延長して設けられている。なお、第１の延長部４４ｂは、後述するＦＰＣ４４の折返し位置Ｓ１を挟んで光学ピックアップ２１に接続される側の配線部Ｓ２と、回路基板３９に接続される側の配線部Ｓ３とを構成する部分であり、光学ピックアップ２１の動きに追従するのに充分な長さを有している。
【００５３】
また、第１の延長部４４ｂの光学ピックアップ２１の送り方向に沿った一辺からは、第２の延長部４４ｃが光学ピックアップ１７の送り方向と直交する方向に延長して設けられている。この第２の延長部４４ｃは、ＦＰＣ４４の他端部４４ｄをトレイ側の回路基板３９へと導く部分である。そして、このＦＰＣ４４の他端部４４ｄには、トレイ側の回路基板３９に設けられたコネクタ４１に差し込まれる端子部４５が設けられている。
【００５４】
なお、第１の延長部４４ｂと第２の延長部４４ｃとの間には、幅広となるテーパー部４４ｅが設けられている。また、第２の延長部４４ｃの光学ピックアップ２１とは反対側に位置する一辺からは、光学ピックアップ２１の送り方向に延長された第３の延長部４４ｆが設けられている。この第３の延長部４４ｆは、光学ピックアップ２１が送り方向の最外周部に位置するとき、この光学ピックアップ２１の背面側に折り返されたＦＰＣ４４の端部を送り方向の最内周部よりも更に内側に位置させる部分である。これにより、光学ピックアップ２１を光ディスク２の最外周部へと送り動作した際に、第３の延長部４４ｆを回路基板２６の下方に位置させることによって、ＦＰＣ４４がベース１６側に捲れ上がるのを防止している。
【００５５】
そして、このＦＰＣ４４は、図８及び図９に示すように、ベース１６の上面部に取り付けられたトップカバー１０と、ディスクトレイ４の下面に取り付けられたボトムカバー１１との間に挟み込まれた状態で、第１の延長部４４ｂが光学ピックアップ２１の底面部側に折り返されると共に、他端部４４ｄに設けられた端子部４５がトレイ側の回路基板３９に設けられたコネクタ４１に接続されている。
【００５６】
ところで、このディスクドライブ装置１は、図８及び図９に示すように、ＦＰＣ４４が光学ピックアップ２１の送り動作に追従しながら、その折返し位置Ｓ１を変位させるとき、ＦＰＣ４４の長手方向に沿った側端部のうち、少なくとも折返し位置Ｓ１においてトップカバー１０側への盛り上がりが大きくなる方をトップカバー１０が押さえ込む構造を有している。
【００５７】
ここで、図１１に示すように、ＦＰＣ４４の折返し位置Ｓ１を挟んで光学ピックアップ２１に接続される側の配線部Ｓ２に対して回路基板３９に接続される側の配線部Ｓ３が広がり角θをもって略Ｖ字状に折り返された状態となるとき、配線部Ｓ２と配線部Ｓ３とのずれる方向の違いによって、このＦＰＣ４４の長手方向に沿った側端部Ｓ４，Ｓ５のうち、折返し位置Ｓ１における一方の側端部のトップカバー１０側への盛り上がりを大きし、もう一方の側端部のトップカバー１０側への盛り上がりを逆に小さくすることができる。
【００５８】
具体的に、図１１（ｂ）に示すように、折返し位置Ｓ１を挟んで光学ピックアップ２１に接続される側の配線部Ｓ２に対して、回路基板３９に接続される側の配線部Ｓ３が平行（θ＝０゜）となるように、光学ピックアップ２１の底面部側に折り返された状態となるとき、ＦＰＣ４４の折返し位置Ｓ１に発生するトップカバー１０側への盛り上がりは、側端部Ｓ４側と側端部Ｓ５側とで略々同じ大きさとなる。
【００５９】
一方、図１１（ａ）に示すように、折返し位置Ｓ１を挟んで光学ピックアップ２１に接続される側の配線部Ｓ２に対して、回路基板３９に接続される側の配線部Ｓ３がベース１６の面内方向に広がり角＋θをもって光学ピックアップ２１の底面部側に折り返された状態となるとき、ＦＰＣ４４の折返し位置Ｓ１に発生するトップカバー１０側への盛り上がりは、側端部Ｓ４側が側端部Ｓ５側よりも大きくなる。また、側端部Ｓ５側に発生するトップカバー１０側への盛り上がりは、上述した図１１（ｂ）に示す場合の側端部Ｓ５側よりも小さくなる。
【００６０】
これに対して、図１１（ａ）に示す場合とは逆、すなわち図１１（ｃ）に示すように、折返し位置Ｓ１を挟んで光学ピックアップ２１に接続される側の配線部Ｓ２に対して、回路基板３９に接続される側の配線部Ｓ３がベース１６の面内方向に広がり角−θをもって光学ピックアップ２１の底面部側に折り返された状態となるとき、ＦＰＣ４４の折返し位置Ｓ１に発生するトップカバー１０側への盛り上がりは、側端部Ｓ５側が側端部Ｓ４側よりも大きくなる。また、側端部Ｓ４側に発生するトップカバー１０側への盛り上がりは、上述した図１１（ｂ）に示す場合の側端部Ｓ４側よりも小さくなる。
【００６１】
したがって、このディスクドライブ装置１では、ＦＰＣ４４が光学ピックアップ２１の送り動作に追従しながら、その折返し位置Ｓ１を変位させるとき、ＦＰＣ４４の長手方向に沿った側端部Ｓ４，Ｓ５のうち、少なくとも折返し位置Ｓ１においてトップカバー１０側への盛り上がりが大きくなる方をトップカバー１０が押さえ込むようにすれば、逆に、折返し位置Ｓ１においてトップカバー１０側への盛り上がりが小さくなる方をトップカバー１０の開口部１０ｂに臨ませることによって、このＦＰＣ４４のトップカバー１０で覆うことのできない部分がトップカバー１０の開口部１０ｂから外方にはみ出すことを防ぐことが可能である。
【００６２】
ところで、このディスクドライブ装置１では、ピックアップベース２９の上面から僅かに突出する対物レンズ駆動機構２１ｂをトップカバー１０の開口部１０ｂから外方に臨ませるために、光学ピックアップ２１の対物レンズ２１ａを通る光学ピックアップの送り方向と平行な直線に対して、対物レンズ駆動機構２１ｂが配置される側とは反対側に位置にて、ＦＰＣ４４の一端部４４ａが光学ピックアップ２１の外周側の側面に接続されている。
【００６３】
したがって、このディスクドライブ装置１では、ＦＰＣ４４の長手方向に沿った側端部Ｓ４，Ｓ５のうち、折返し位置Ｓ１においてトップカバー１０側への盛り上がりが大きくなる方をトップカバー１０の開口部１０ｂに臨む側の側端部Ｓ４とは反対側の側端部Ｓ５とし、このトップカバー１０側への盛り上がりが大きくなる側端部Ｓ５側をトップカバー１０が押さえ込む構造となっている。
【００６４】
具体的には、図１２に示すように、ＦＰＣ４４の折返し位置Ｓ１を挟んで光学ピックアップに接続される側の配線部Ｓ２に対して、回路基板３９に接続される側の配線部Ｓ３がベース１６の面内方向に広がり角θをもって略Ｖ字状に光学ピックアップ２１の底面部側に折り返された状態とし、且つ、光学ピックアップ２１の送り方向と略平行となる配線部Ｓ２に対して配線部Ｓ３をトップカバー１０の開口部１０ｂに臨む側とは反対側に位置させる。
【００６５】
これにより、図１２中実線で示すように、光学ピックアップ２１が送り方向Ａの最内周部に位置するとき、折返し位置Ｓ１においてトップカバー１０側への盛り上がりが大きくなる方、すなわちＦＰＣ４４の折返し位置Ｓ１における側端部Ｓ５側をトップカバー１０の下方に位置させることができる。
【００６６】
そして、この状態から、図１２中破線で示すように、光学ピックアップ２１が送り方向Ａの最外周部まで送り動作されると、ＦＰＣ４４が当該光学ピックアップ２１の送り動作に追従しながら、その折返し位置Ｓ１を変位させる。このとき、ＦＰＣ４４の折返し位置Ｓ１を挟んで光学ピックアップ２１に接続される側の配線部Ｓ２に対して回路基板３９に接続される側の配線部Ｓ３がベース１６の面内方向に広がり角θをもって光学ピックアップ２１の底面部側に折り返された状態のまま、この折返し位置Ｓ１においてトップカバー１０側への盛り上がりが大きくなる方、すなわちＦＰＣ４４の折返し位置Ｓ１における側端部Ｓ５側をトップカバー１０の下方に位置させることができる。
【００６７】
したがって、このディスクドライブ装置１では、光学ピックアップ２１を光ディスク２の半径方向に送り動作した際に、ＦＰＣ４４の長手方向に沿った側端部Ｓ４，Ｓ５のうち、少なくとも折返し位置Ｓ１においてトップカバー１０の開口部１０ｂに臨む側の側端部Ｓ４とは反対側の側端部Ｓ５、すなわち折返し位置Ｓ１においてトップカバー１０側への盛り上がりが大きくなる方をトップカバー１０が押さえ込む構造とすることが可能である。逆に、折返し位置Ｓ１においてトップカバー１０側への盛り上がりが小さくなる方、すなわちＦＰＣ４４の折返し位置Ｓ１における側端部Ｓ４側をトップカバー１０の開口部１０ｂに臨ませることによって、このＦＰＣ４４のトップカバー１０で覆うことのできない部分がトップカバー１０の開口部１０ｂから外方にはみ出すことを防ぐことが可能である。
【００６８】
また、上記ディスクドライブ装置１では、上述した図１０及び図１２に示す構成に限らず、例えば図１３及び図１４に示すように、ＦＰＣ４４を光学ピックアップ２１の送り方向に対して斜めに配置した構成とすることも可能である。
【００６９】
具体的に、このＦＰＣ４４は、図１３に示すように、光学ピックアップ２１の対物レンズ２１ａを通る光学ピックアップの送り方向と平行な直線に対して、対物レンズ駆動機構２１ｂが配置される側とは反対側に角度θで傾けられた状態で、その一端部４４ａが光学ピックアップ２１の外周側の側面に接続されている。
【００７０】
この場合、図１４に示すように、ＦＰＣ４４の折返し位置Ｓ１を挟んで光学ピックアップに接続される側の配線部Ｓ２に対して、回路基板３９に接続される側の配線部Ｓ３がベース１６の面内方向に広がり角θをもって略Ｖ字状に光学ピックアップ２１の底面部側に折り返された状態とし、且つ、光学ピックアップ２１の送り方向と略平行となる配線部Ｓ３に対して配線部Ｓ２をトップカバー１０の開口部１０ｂに臨む側に位置させる。
【００７１】
これにより、図１４中実線で示すように、光学ピックアップ２１が送り方向Ａの最内周部に位置するとき、折返し位置Ｓ１においてトップカバー１０側への盛り上がりが大きくなる方、すなわちＦＰＣ４４の折返し位置Ｓ１における側端部Ｓ５側をトップカバー１０の下方に位置させることができる。
【００７２】
そして、この状態から、図１４中破線で示すように、光学ピックアップ２１が送り方向Ａの最外周部まで送り動作されると、ＦＰＣ４４が当該光学ピックアップ２１の送り動作に追従しながら、その折返し位置Ｓ１を変位させる。このとき、ＦＰＣ４４の折返し位置Ｓ１を挟んで光学ピックアップ２１に接続される側の配線部Ｓ２に対して回路基板３９に接続される側の配線部Ｓ３がベース１６の面内方向に広がり角θをもって光学ピックアップ２１の底面部側に折り返された状態のまま、この折返し位置Ｓ１においてトップカバー１０側への盛り上がりが大きくなる方、すなわちＦＰＣ４４の折返し位置Ｓ１における側端部Ｓ５側をトップカバー１０の下方に位置させることができる。
【００７３】
したがって、この場合も、光学ピックアップ２１を光ディスク２の半径方向に送り動作した際に、ＦＰＣ４４の長手方向に沿った側端部Ｓ４，Ｓ５のうち、少なくとも折返し位置Ｓ１においてトップカバー１０の開口部１０ｂに臨む側の側端部Ｓ４とは反対側の側端部Ｓ５、すなわち折返し位置Ｓ１においてトップカバー１０側への盛り上がりが大きくなる方をトップカバー１０が押さえ込む構造とすることが可能である。逆に、折返し位置Ｓ１においてトップカバー１０側への盛り上がりが小さくなる方、すなわちＦＰＣ４４の折返し位置Ｓ１における側端部Ｓ４側をトップカバー１０の開口部１０ｂに臨ませることによって、このＦＰＣ４４のトップカバー１０で覆うことのできない部分がトップカバー１０の開口部１０ｂから外方にはみ出すことを防ぐことが可能である。
【００７４】
また、上記ディスクドライブ装置１では、例えば図１５及び図１６に示すように、上述した図１３及び図１４に示す場合とは逆向きに、ＦＰＣ４４を光学ピックアップ２１の送り方向に対して斜めに配置した構成とすることも可能である。
【００７５】
具体的に、このＦＰＣ４４は、図１５に示すように、光学ピックアップ２１の対物レンズ２１ａを通る光学ピックアップの送り方向と平行な直線に対して、対物レンズ駆動機構２１ｂが配置される側に角度θで傾けられた状態で、その一端部４４ａが光学ピックアップ２１の外周側の側面に接続されている。
【００７６】
この場合、図１６に示すように、ＦＰＣ４４の折返し位置Ｓ１を挟んで光学ピックアップに接続される側の配線部Ｓ２に対して、回路基板３９に接続される側の配線部Ｓ３がベース１６の面内方向に広がり角θをもって略Ｖ字状に光学ピックアップ２１の底面部側に折り返された状態とし、且つ、光学ピックアップ２１の送り方向と略平行となる配線部Ｓ３に対して配線部Ｓ２をトップカバー１０の開口部１０ｂに臨む側に位置させる。
【００７７】
これにより、図１６中実線で示すように、光学ピックアップ２１が送り方向Ａの最内周部に位置するとき、折返し位置Ｓ１においてトップカバー１０側への盛り上がりが大きくなる方、すなわちＦＰＣ４４の折返し位置Ｓ１における側端部Ｓ５側をトップカバー１０の下方に位置させることができる。
【００７８】
そして、この状態から、図１６中破線で示すように、光学ピックアップ２１が送り方向Ａの最外周部まで送り動作されると、ＦＰＣ４４が当該光学ピックアップ２１の送り動作に追従しながら、その折返し位置Ｓ１を変位させる。このとき、ＦＰＣ４４の折返し位置Ｓ１を挟んで光学ピックアップ２１に接続される側の配線部Ｓ２と回路基板３９に接続される側の配線部Ｓ３とが互いに平行な状態となるものの、ＦＰＣ４４の折返し位置Ｓ１における両側端部Ｓ４，Ｓ５をトップカバー１０の下方に位置させることができる。
【００７９】
したがって、この場合も、光学ピックアップ２１を光ディスク２の半径方向に送り動作した際に、ＦＰＣ４４の長手方向に沿った側端部Ｓ４，Ｓ５のうち、少なくとも折返し位置Ｓ１においてトップカバー１０の開口部１０ｂに臨む側の側端部Ｓ４とは反対側の側端部Ｓ５、すなわち折返し位置Ｓ１においてトップカバー１０側への盛り上がりが大きくなる方をトップカバー１０が押さえ込む構造とすることが可能である。逆に、折返し位置Ｓ１においてトップカバー１０側への盛り上がりが小さくなる方、すなわちＦＰＣ４４の折返し位置Ｓ１における側端部Ｓ４側をトップカバー１０の開口部１０ｂに臨ませることによって、このＦＰＣ４４のトップカバー１０で覆うことのできない部分がトップカバー１０の開口部１０ｂから外方にはみ出すことを防ぐことが可能である。
【００８０】
また、上記ディスクドライブ装置１では、例えば図１７（ａ）〜（ｃ）に示すように、トップカバー１０の開口部１０ｂに臨む側の側端部Ｓ４とは反対側の側端部Ｓ５をトップカバー１０側に斜めに傾けた状態で、ＦＰＣ４４の一端部４４ａを光学ピックアップ２１の外周側の側面に接続した構成とすることも可能である。
【００８１】
この場合、図１８に示すように、ＦＰＣ４４の折返し位置Ｓ１を挟んで光学ピックアップに接続される側の配線部Ｓ２に対して、回路基板３９に接続される側の配線部Ｓ３が略平行となるように光学ピックアップ２１の底面部側に折り返された状態とすることによって、このＦＰＣ４４の折返し位置Ｓ１に発生するトップカバー１０側への盛り上がりを側端部Ｓ４側よりも側端部Ｓ５側で大きくすることができる。
【００８２】
これにより、図１８中実線で示すように、光学ピックアップ２１が送り方向Ａの最内周部に位置するとき、折返し位置Ｓ１においてトップカバー１０側への盛り上がりが大きくなる方、すなわちＦＰＣ４４の折返し位置Ｓ１における側端部Ｓ５側をトップカバー１０の下方に位置させることができる。
【００８３】
そして、この状態から、図１２中破線で示すように、光学ピックアップ２１が送り方向Ａの最外周部まで送り動作されると、ＦＰＣ４４が当該光学ピックアップ２１の送り動作に追従しながら、その折返し位置Ｓ１を変位させる。このとき、ＦＰＣ４４の折返し位置Ｓ１を挟んで光学ピックアップ２１に接続される側の配線部Ｓ２と回路基板３９に接続される側の配線部Ｓ３とが互いに平行な状態のまま、この折返し位置Ｓ１においてトップカバー１０側への盛り上がりが大きくなる方、すなわちＦＰＣ４４の折返し位置Ｓ１における側端部Ｓ５側をトップカバー１０の下方に位置させることができる。
【００８４】
したがって、この場合も、光学ピックアップ２１を光ディスク２の半径方向に送り動作した際に、ＦＰＣ４４の長手方向に沿った側端部Ｓ４，Ｓ５のうち、少なくとも折返し位置Ｓ１においてトップカバー１０の開口部１０ｂに臨む側の側端部Ｓ４とは反対側の側端部Ｓ５、すなわち折返し位置Ｓ１においてトップカバー１０側への盛り上がりが大きくなる方をトップカバー１０が押さえ込む構造とすることが可能である。逆に、折返し位置Ｓ１においてトップカバー１０側への盛り上がりが小さくなる方、すなわちＦＰＣ４４の折返し位置Ｓ１における側端部Ｓ４側をトップカバー１０の開口部１０ｂに臨ませることによって、このＦＰＣ４４のトップカバー１０で覆うことのできない部分がトップカバー１０の開口部１０ｂから外方にはみ出すことを防ぐことが可能である。
【００８５】
以上のようにして、本発明を適用したディスクドライブ装置１では、ＦＰＣ４４が光学ピックアップ２１の送り動作に追従しながら、その折返し位置Ｓ１を変位させるとき、ＦＰＣ４４の長手方向に沿った側端部Ｓ４，Ｓ５のうち、少なくとも折返し位置Ｓ１においてトップカバー１０側への盛り上がりが大きくなる方をトップカバー１０が押さえ込むことが可能なことから、逆に、折返し位置Ｓ１においてトップカバー１０側への盛り上がりが小さくなる方をトップカバー１０の開口部１０ｂに臨ませることによって、このＦＰＣ４４のトップカバー１０で覆うことのできない部分がトップカバー１０の開口部１０ｂから外方にはみ出すことを防ぐことが可能である。
【００８６】
したがって、本発明を適用したディスクドライブ装置１では、装置本体の薄型化によってトップカバー１０とボトムカバー１１との間に挟み込まれたＦＰＣ４４の折返し幅が狭くなる場合であっても、或いは、配線数の増加によりＦＰＣ４４が幅広となる場合であっても、このＦＰＣ４４のトップカバー１０で覆うことのできない部分がトップカバー１０の開口部１０ｂから外方にはみ出すことを防ぐことが可能であり、光学ピックアップ２１を光学ディスク２の半径方向に送り動作した際のＦＰＣ４４と光学ディスク２の信号記録面との接触を回避し、光学ピックアップ２１の光学ディスク２に対する信号の書き込み及び読み出し動作を適切に行うことが可能である。
【００８７】
また、本発明を適用したディスクドライブ装置１では、装置全体の更なる薄型化や、ＦＰＣ４４の更なる幅広化に対応することが可能である。
【００８８】
また、本発明を適用したディスクドライブ装置１では、上述したＦＰＣ４４の折返し位置Ｓ１においてトップカバー１０側への盛り上がりが大きくなる方をトップカバー１０が押さえ込む構造に限定されるものではなく、例えば図１９，図２０及び図２１に示すように、ＦＰＣ４４の折返し位置Ｓ１においてトップカバー１０側への盛り上がりが大きくなる方をＦＰＣ４４に取り付けられた補強材４６が押さえ込む構造とすることも可能である。
【００８９】
この補強材４６は、ＦＰＣ４４の内側の主面に貼り付けられた可撓性を有する補強板であり、上述した図１２，図１４及び図１６に示すように、ＦＰＣ４４が光学ピックアップ２１の送り動作に追従しながら、その折返し位置Ｓ１を変位させるとき、ＦＰＣ４４の折返し位置Ｓ１に発生するトップカバー１０側への盛り上がりは、側端部Ｓ５側が側端部Ｓ４側よりも大きくなることから、この側端部Ｓ５側で大きく発生する盛り上がりをこの補強材４６の剛性で押さえ込む構造となっている。
【００９０】
これにより、光学ピックアップ２１を光ディスク２の半径方向に送り動作した際のトップカバー１０側への盛り上がりを補強材４６が抑制し、この盛り上がりが大きくなる方をトップカバー１０で押さえ込むことなく、このＦＰＣ４４のトップカバー１０で覆うことのできない部分がトップカバー１０の開口部１０ｂから外方にはみ出すことを未然に防ぐことが可能である。
【００９１】
なお、上記ディスクドライブ装置１では、ＦＰＣ４４が光学ピックアップ２１の外周側の側面から当該ピックアップ２１の送り方向に延長して設けられた構成となっているが、それとは逆、ＦＰＣ４４が光学ピックアップ２１の内周側の側面から当該ピックアップ２１の送り方向に延長して設けられた構成とすることも可能である。
【００９２】
この場合も、ＦＰＣ４４が光学ピックアップ２１の送り動作に追従しながら、その折返し位置Ｓ１を変位させるとき、ＦＰＣ４４の長手方向に沿った側端部Ｓ４，Ｓ５のうち、少なくとも折返し位置Ｓ１においてトップカバー１０側への盛り上がりが大きくなる方をトップカバー１０が押さえ込むようにすれば、逆に、折返し位置Ｓ１においてトップカバー１０側への盛り上がりが小さくなる方をトップカバー１０の開口部１０ｂに臨ませることによって、このＦＰＣ４４のトップカバー１０で覆うことのできない部分がトップカバー１０の開口部１０ｂから外方にはみ出すことを防ぐことが可能である。
【産業上の利用可能性】
【００９３】
なお、本発明は、上述したトレイ型のディスクドライブ装置１に限らず、筐体の前面に設けられたディスク挿脱口から光学ディスクが挿脱されるスロットイン型のディスクドライブ装置にも適用可能である。
【００９４】
また、本発明は、上述した光ディスク２以外にも光磁気ディスク等の光学ディスク、或いはこれら光学ディスクがディスクカートリッジに収納されたものに対して情報信号の記録及び／又は再生を行うディスクドライブ装置にも適用可能である。
【図面の簡単な説明】
【００９５】
【図１】本発明を適用したディスクドライブ装置が搭載されたノート型パーソナルコンピュータを示す斜視図である。
【図２】上記ディスクドライブ装置のディスクトレイが収納された状態を示す斜視図である。
【図３】上記ディスクドライブ装置のディスクトレイが引き出された状態を示す斜視図である。
【図４】上記ディスクドライブ装置の構成を示す分解斜視図である。
【図５】ディスクドライブユニットを上面側から見た斜視図である。
【図６】ディスクドライブユニットを底面側から見た斜視図である。
【図７】ピックアップ送り機構の構成を示す平面図である。
【図８】上記ディスクドライブ装置の天板を取り外した状態を示す斜視図である。
【図９】上記ディスクドライブ装置の底板を取り外した状態を示す斜視図である。
【図１０】光学ピックアップに対するＦＰＣの取り付け状態を示す平面図である。
【図１１】ＦＰＣの折返し位置に発生する盛り上がりを説明するための模式図である。
【図１２】上記図１０に示すＦＰＣが光学ピックアップの送り動作に追従しながら、その折返し位置を変位させる状態を示す平面図である。
【図１３】光学ピックアップに対するＦＰＣの別の取り付け状態を示す平面図である。
【図１４】上記図１３に示すＦＰＣが光学ピックアップの送り動作に追従しながら、その折返し位置を変位させる状態を示す平面図である。
【図１５】光学ピックアップに対するＦＰＣの別の取り付け状態を示す平面図である。
【図１６】上記図１５に示すＦＰＣが光学ピックアップの送り動作に追従しながら、その折返し位置を変位させる状態を示す平面図である。
【図１７】光学ピックアップに対するＦＰＣの別取り付け状態を示し、（ａ）は、その斜視図であり、（ｂ）は、その正面図であり、（ｃ）は、その側面図である。
【図１８】上記図１７に示すＦＰＣが光学ピックアップの送り動作に追従しながら、その折返し位置を変位させる状態を示す平面図である。
【図１９】上記図１０に示すＦＰＣに補強材が取り付けられた状態を示す平面図である。
【図２０】上記図１３に示すＦＰＣに補強材が取り付けられた状態を示す平面図である。
【図２１】上記図１５に示すＦＰＣに補強材が取り付けられた状態を示す平面図である。
【図２２】上記従来のディスクドライブ装置を筐体の天板を除いて示す斜視図である。
【図２３】上記従来のディスクドライブ装置に搭載されるディスクドライブユニットを示す斜視図である。
【図２４】上記従来のディスクドライブ装置を示す要部断面図である。
【符号の説明】
【００９６】
１  ディスクドライブ装置、  ２  光ディスク、  ３  筐体、  ４  ディスクトレイ  ５  ディスクドライブユニット、  １０  トップカバー、  １０ａ，１０ｂ  開口部、  １１  ボトムカバー、  １６  ベース、  １６ａ  テーブル用開口部、  １６ｂ  ピックアップ用開口部、  ２０  ディスク回転駆動機構、  ２１  光学ピックアップ、  ２１ａ  対物レンズ、  ２１ａ  対物レンズ駆動機構、  ２２  ピックアップ送り機構、  ２３  ターンテーブル、  ２４  スピンドルモータ、  ３０ａ，３０ｂ  ガイド軸、  ３９  回路基板、  ４４  フレキシブルプリント配線板（ＦＰＣ）、４６  補強材
【図１】
2005346871.tif 000003
【図２】
2005346871.tif 000004
【図３】
2005346871.tif 000005
【図４】
2005346871.tif 000006
【図５】
2005346871.tif 000007
【図６】
2005346871.tif 000008
【図７】
2005346871.tif 000009
【図８】
2005346871.tif 000010
【図９】
2005346871.tif 000011
【図１０】
2005346871.tif 000012
【図１１】
2005346871.tif 000013
【図１２】
2005346871.tif 000014
【図１３】
2005346871.tif 000015
【図１４】
2005346871.tif 000016
【図１５】
2005346871.tif 000017
【図１６】
2005346871.tif 000018
【図１７】
2005346871.tif 000019
【図１８】
2005346871.tif 000020
【図１９】
2005346871.tif 000021
【図２０】
2005346871.tif 000022
【図２１】
2005346871.tif 000023
【図２２】
2005346871.tif 000024
【図２３】
2005346871.tif 000025
【図２４】
2005346871.tif 000026